【手続補正書】
【提出日】平成19年5月16日(2007.5.16)
【手続補正１】
【補正対象書類名】明細書
【補正対象項目名】発明の名称
【補正方法】変更
【補正の内容】
【発明の名称】ディスク再生装置、ディスク記録装置およびディスク記録再生装置、並びにディスク再生方法
【手続補正２】
【補正対象書類名】明細書
【補正対象項目名】特許請求の範囲
【補正方法】変更
【補正の内容】
【特許請求の範囲】
【請求項１】  再生に使用したディスク毎に、夫々のディスクを識別するディスク個別識別情報を記憶するディスク個別識別情報記憶手段と、
前記再生に使用したディスク毎に、夫々のディスクに対応した自動調整情報を記憶する自動調整情報記憶手段と、
挿入されたディスクの個別識別情報を検出する個別識別情報検出手段とを備え、
前記挿入されたディスクに対する前記個別識別情報が前記ディスク個別識別情報記憶手段に格納されている場合には、前記自動調整情報記憶手段から前記個別識別情報に対応した自動調整情報を取り出し、再生を行うことを特徴とするディスク再生装置。
【請求項２】  前記ディスク個別識別情報記憶手段および自動調整情報記憶手段が、フラッシュＲＯＭからなることを特徴とする請求項１記載のディスク再生装置。
【請求項３】  前記ディスク再生装置は、当該装置内の温度を検出する機内温度検出手段を備え、該機内温度手段の検出値に応じて前記自動調整情報記憶手段の記憶値を補正するようにしたことを特徴とする請求項１記載のディスク再生装置。
【請求項４】  記録に使用したディスク毎に、夫々のディスクを識別するディスク個別識別情報を記憶するディスク個別識別情報記憶手段と、
前記記録に使用したディスク毎に、夫々のディスクに対応した自動調整情報を記憶する自動調整情報記憶手段と、
挿入されたディスクの個別識別情報を検出する個別識別情報検出手段とを備え、
前記挿入されたディスクに対する前記個別識別情報が前記ディスク個別識別情報記憶手段に格納されている場合には、前記自動調整情報記憶手段から前記個別識別情報に対応した自動調整情報を取り出し、記録を行うことを特徴とするディスク記録装置。
【請求項５】  前記ディスク個別識別情報記憶手段および自動調整情報記憶手段が、フラッシュＲＯＭからなることを特徴とする請求項４記載のディスク記録装置。
【請求項６】  前記ディスク個別識別情報手段にディスクの使用履歴情報を優先順位を定めて記憶しておき、優先順位の低いものから上書きまたは消去するようにしたことを特徴とする請求項４記載のディスク記録装置。
【請求項７】  前記ディスク記録装置は、当該装置内の温度を検出する機内温度検出手段を備え、該機内温度手段の検出値に応じて前記自動調整情報記憶手段の記憶値を補正するようにしたことを特徴とする請求項４記載のディスク記録装置。
【請求項８】  使用したディスク毎に、夫々のディスクを個別に識別するディスク個別識別情報を記憶するディスク個別識別情報記憶手段と、
前記使用したディスク毎に、夫々のディスクに個別に対応した自動調整情報を記憶する自動調整情報記憶手段と、
挿入されたディスクの前記個別識別情報を検出する個別識別情報検出手段とを備え、
前記挿入されたディスクに対する前記個別識別情報が前記ディスク個別識別情報記憶手段に格納されている場合には、前記自動調整情報記憶手段から前記個別識別情報に対応した自動調整情報を取り出し、記録または再生を行うことを特徴とするディスク記録再生装置。
【請求項９】  前記ディスク個別識別情報記憶手段および自動調整情報記憶手段が、フラッシュＲＯＭからなることを特徴とする請求項８記載のディスク記録再生装置。
【請求項１０】  前記ディスク個別識別情報手段にディスクの使用履歴情報を優先順位を定めて記憶しておき、優先順位の低いものから上書きまたは消去するようにしたことを特徴とする請求項８記載のディスク記録再生装置。
【請求項１１】  前記ディスク記録再生装置は、当該装置内の温度を検出する機内温度検出手段を備え、該機内温度手段の検出値に応じて前記自動調整情報記憶手段の記憶値を補正するようにしたことを特徴とする請求項８記載のディスク記録再生装置。
【請求項１２】  再生に使用したディスク毎に、夫々のディスクを識別する個別識別情報を第１の記憶手段に記憶するディスク個別識別情報記憶ステップと、
前記再生に使用したディスク毎に、夫々のディスクに対応した自動調整情報を第２の記憶手段に記憶する自動調整情報記憶ステップと、
挿入されたディスクの個別識別情報を検出する個別識別情報検出ステップとを備え、
前記挿入されたディスクに対する前記個別識別情報が前記第１の記憶手段に格納されている場合には、前記第２の記憶手段から前記個別識別情報に対応した自動調整情報を取り出し、再生を行うことを特徴とするディスク再生方法。
【手続補正３】
【補正対象書類名】明細書
【補正対象項目名】０００１
【補正方法】変更
【補正の内容】
【０００１】
【発明の属する技術分野】
本発明はディスク再生装置、ディスク記録装置およびディスク記録再生装置、並びにディスク再生方法に関し、特にディスクの記録時または再生時における立ち上げ時間を短くしたディスク再生装置、ディスク記録装置およびディスク記録再生装置、並びにディスク再生方法に関する。
【手続補正４】
【補正対象書類名】明細書
【補正対象項目名】０００６
【補正方法】変更
【補正の内容】
【０００６】
そこで本発明の第１の目的は、ディスク挿入から再生可能になるまでの時間を短縮したディスク再生装置を提供することである。
また、本発明の第２の目的は、ディスク挿入から記録可能になるまでの時間を短縮したディスク記録装置を提供することである。
さらに、本発明の第３の目的は、ディスク挿入から記録再生可能になるまでの時間を短縮したディスク記録再生装置を提供することである。
また本発明の第４の目的は、ディスク挿入から再生可能になるまでの時間を短縮するディスク再生方法を提供することである。
【手続補正５】
【補正対象書類名】明細書
【補正対象項目名】００１１
【補正方法】変更
【補正の内容】
【００１１】
前記第３の目的を達成するため、本発明のディスク記録再生装置（第３発明）は、使用したディスク毎に、夫々のディスクを個別に識別するディスク個別識別情報を記憶するディスク個別識別情報記憶手段と、前記使用したディスク毎に、夫々のディスクに個別に対応した自動調整情報を記憶する自動調整情報記憶手段と、挿入されたディスクの前記個別識別情報を検出する個別識別情報検出手段とを備え、前記挿入されたディスクに対する前記個別識別情報が前記ディスク個別識別情報記憶手段に格納されている場合には、前記自動調整情報記憶手段から前記個別識別情報に対応した自動調整情報を取り出し、記録または再生を行うことを特徴とする。
【手続補正６】
【補正対象書類名】明細書
【補正対象項目名】００１５
【補正方法】変更
【補正の内容】
【００１５】
さらに、前記第１〜第３発明に係る装置では、当該装置内の温度を検出する機内温度検出手段を設け、該機内温度手段の検出値に応じて前記自動調整情報記憶手段の記憶値を補正することが望ましい。このようにして前記自動調整情報記憶手段の記憶値を補正することにより、記録または再生を、より正確に行うことができる。
また前記第４の目的を達成するため、本発明のディスク再生方法は、再生に使用したディスク毎に、夫々のディスクを識別する個別識別情報を第１の記憶手段に記憶するディスク個別識別情報記憶ステップと、前記再生に使用したディスク毎に、夫々のディスクに対応した自動調整情報を第２の記憶手段に記憶する自動調整情報記憶ステップと、挿入されたディスクの個別識別情報を検出する個別識別情報検出ステップとを備え、前記挿入されたディスクに対する前記個別識別情報が前記第１の記憶手段に格納されている場合には、前記第２の記憶手段から前記個別識別情報に対応した自動調整情報を取り出し、再生を行うことを特徴とする。